(57)【要約】【課題】介護を必要とする人をベットから他のベット、ベットから車椅子などに移すのに有用なキャリアシートを提供する。【解決手段】複数枚に重ねられたキルティング布の少なくとも周縁開口部を縫いあわせたほぼ長方形のシーツ本体と、複数枚に重ねられキルティング布の少なくとも長手方向の周縁開口部を縫いあわせた帯状の把持部材からなり、該シーツ本体の短辺側一端部に１対及び長辺側両端部にそれぞれ２対の該把持部材を該シーツ本体とで環状把持部が形成されるように縫合されていることを特徴とするキャリングシーツ。【選択図】  図１
2004344599.tif 000002
【特許請求の範囲】
【請求項１】
複数枚に重ねられたキルティング布の少なくとも周縁開口部を縫いあわせたほぼ長方形のシーツ本体と、複数枚に重ねられキルティング布の少なくとも長手方向の周縁開口部を縫いあわせた帯状の把持部材からなり、該シーツ本体の短辺側一端部に１対及び長辺側両端部にそれぞれ２対の該把持部材を該シーツ本体とで環状把持部が形成されるように縫合されていることを特徴とするキャリングシーツ。
【請求項２】
前記把持部材は、その表面側がシート本体表面側に位置するように該シート本体と縫合され、かつ中程で該把持部材の裏面側が表面側に露出するように内方に折り曲げられていることを特徴とする請求項１記載のキャリングシーツ。
【発明の詳細な説明】
【０００１】
【発明の属する技術分野】
本発明は身体の不自由な人、寝たきりの病人等の移動、運搬など介護の目的で、シーツ上に被介護者を載せたまま運搬・移動が容易に行なえるキャリングシーツに関するものである。
【０００２】
【従来の技術】
従来病院、施設等では被介護者の移動運搬する時にはストレッチャー、リフト等を用い、あるいは限られた場所への移動には便宜上、バスタオル、シーツ、布等に被介護者を載せ、複数の人手で移動運搬を行なっている。しかし、被介護者をストレッチャー、リフト等からベットに移すには広いスペースを必要とし、またその保管場所も必要とし、家庭での使用には不向きであり、さらにストレッチャー、リフト等は高価であるため病院、施設等においてもその保有台数は限られたものになる。これらに加えて、ストレッチャー、リフト等からのベットへの被介護者の移動は必ずしも容易とはいえない。
また、バスタオル等の使用では、被介護者の身体の重みで布が沈むため、介護する者の負担が極めて大きなものとなっている。
【０００３】
このような実情を改善するものとして、（１）ほぼ長方形の布地からなるシーツにおいて、短辺側両端部の布地を少なくとも二重とし、そこに複数の把持用穴を設けたキャリングシートが提案されている（特許文献１参照）。また、（２）担架本体の両長辺端側の部分に開閉できるストットを１個所以上設け、短辺側に肩掛けベルト及び手持ちループをつけ、本体裏側の両側に手持ちループを延長しつけ、肩掛けベルトを延長しＸ状につけた介助小回り担架が提案されている（特許文献２参照）。
【０００４】
しかし、上記（１）のキャリングシーツは把持用穴部分の強度が保存されて、被介護者の体重が重い時や、急に持ち上げた時でも把持用穴がシーツの端まで裂けて被介護者が放り出されるといった不都合がないものの、把持用穴の位置が被介護者の頭部側及び足部側だけであるため、被介護者が持ち上げられた際、被介護者は必然的に２つ折りの状態になりやすく、また、側面側（身体の横方向）から脱落しやすいといった欠点がある。
一方、上記（２）の介助小回り担架は被介護者の頭部側及び足部側だけが保持されるため、上記（１）と同様の欠点を有している。
【０００５】
【特許文献１】
特開２００２−５８７０５号公報
【特許文献２】
特開２００２−９５７０１号公報
【０００６】
【発明が解決しようとする課題】
本発明の目的は、被介護者の腰、頭、頸、その他の個所への負担がなく、また被介護者の運搬並びにベットへの移動、またベットから例えば車椅子へ、家庭においてはベッドから床へ（この逆も同じ）等の移動が確実かつ容易に行なえるキャリアシーツを提案することである。
【０００７】
【課題を解決するための手段】
本発明の課題は下記（１）（２）によって解決される。
（１）本発明によれば、第１に、複数枚に重ねられたキルティング布の少なくとも長手方向の周縁開口部を縫いあわせたほぼ長方形のシーツ本体と、複数枚に重ねられキルティング布の少なくとも周縁開口部を縫いあわせた帯状の把持部材からなり、該シーツ本体の短辺側一端部に１対及び長辺側両端部にそれぞれ２対の該把持部材を該シーツ本体とで環状把持部が形成されるように縫合されていることを特徴とするキャリングシーツが提供される。
（２）また第２に前記把持部材は、その表面側がシート本体表面側に位置するように該シート本体と縫合され、かつ中程で該把持部材の裏面側が表面側に露出するように内方に折り曲げられていることを特徴とする上記（１）記載のキャリングシーツが提供される。
【０００８】
なお、本発明でいう「キルティング布」とは、中層に天然綿又は合成綿やダウンを使用し、表裏布として天然繊維又は合成繊維の織布を用い、縦横あるいは縦横かつ斜目方向に通常の糸で縫着したものである。これら縦横斜目方向の縫目は直線であっても曲線でなされていてもかまわない。
【０００９】
【発明の実施の形態】
以下本発明をさらに詳細に説明する。
図１は本発明のキャリングシーツの平面図である。ほぼ長方形のシーツ本体１の短辺側の一方の縁辺には一対の（２つの）把時部材２１、２１’が縫合されており、また、長辺側の縁辺には二対の（４つの）把持部材２２、２２’、２３、２３’、２４、２４’、２５、２５’が縫合されている。
【００１０】
シーツ本体１はキルティング布を少なくとも二重して構成される。以降、キルティング布を二重したシーツ本体１の例をとって説明を進める。キルティング布を二重にするには、図１に称したように一枚のキルティング布を折り返し、その折り返し部分以外の三方の端部を縫い合わせてもよいし、また、二枚のキルティング布を重ね合わせ、これの端部を縫い合わせてもよい。図中、破線はステッチを表している。
また、シート本体１は使用のしやすさから隅部にはＲが設けられるのがよく、図１の側では２〜４ｃｍ好ましくは３ｃｍ角丸み（Ｒ）が設けられている。
【００１１】
シート本体１の短辺側の長さ（ｍ１）は被介護者の身長の違いもあるから一概に決められるものではないが、一般には５５〜６５ｃｍ、好ましくは６０ｃｍ程度である。また、長辺側の長さ（ｍ２）も同様の理由から一概に決められないが、一般的には１３０〜１５０ｃｍ、好ましくは１４０ｃｍ程度である。
【００１２】
ステッチは２枚の重ねられたキルティング布を良好に固定するために複数個所に設けられる。図１の例では、ステッチ１１は周縁端部から１〜２ｍｍ離れた位置に設けられており、ステッチには周縁端部から１．５〜２．５ｃｍ好ましくは２ｃｍ離れて位置に設けられている。
ここで、１枚のキルティング布が２重折された図１の例の場合には、その折られた箇所にはスッテチ１１、１２が設けられていてもいなくてもよい。これに対して、２枚のキルティング布が重ねられ、又は２重折されて周縁端部が開口している場合には、その開口している全ての周縁端部にスッテチ１１、１２が設けられている必要がある。
【００１３】
この他に図１の例では、シート本体１の短辺側で把持用のない方（足部側）には、短辺側の周縁端部から８〜１２ｃｍ好ましくは１０ｃｍ程度離れたところに、２重のステッチ１３、１４が設けられている。また、シート本体１の長辺側で把持部材２１、２１’のある方（頭部側）には、短辺側の周縁端部から１０〜２０ｃｍ好ましくは１５ｃｍ程度離れたところに、２条のステッチ１５、１６が設けられ、さらにこのステッチ１６から８〜１２ｃｍ好ましくは１０ｃｍ程度離れたところに２条のスッテチ１７、１８が設けられている。このような複数のステッチで２枚のキルティング布を縫着したことにより、シーツ本体１は複数枚のキルティング布は適度に一体化されて、使用しやすいものとなる。なお、これらステッチの本数、それらの間隔は任意に設計変更することが可能である。
【００１４】
一対の把持部材（２１と２１’、２２と２２’、２３と２３’、２４と２４’または２５と２５’）は被介護者を運搬する人の左右の手の指（人差し指、中指、薬指、小指）が手の甲を上にして上方から無理なく自然に差し込めて把持部材を握ることができ、シーツ本体１とともに環状把持部を形成するものである。把持部材は帯状のキルティング布を複数好ましくは三重以上に重ね合わせ、少なくとも長手方向の開口している周縁端部を縫いあわせたものである。この把持部材が重ね合わせた帯状キルティング布の折返しで形成されている場合には、その折り返し端部はステッチを設けても設けなくてもよい。
図２に示したように、把持部材２の幅（ｎ１）は３．５〜５．０ｃｍ好ましくは４ｃｍ程度が適当である。また、シート本体１に縫着された把持部材２の一方の側と他方の側との間隔（ｎ２）は７〜１０ｃｍ好ましくは８ｃｍ程度である。
【００１５】
また、把持部材は図２（シート本体１の表面側１ａから見た図）及び図３（シート本体１の裏面側１ｂから見た図）に示したように、その表面２ａ側がシート本体１の表面１ａ側にくるようにして縫着されている。このため、把持部材の裏面２ｂ側が裏がえされて紙面上方に位置するようになる。従って、シート本体の表面１ａ側からシート本体１の周縁端部と把持部材２とで形成された環状把持部に指を差入れるだけでより容易に把持部材５を掴むことができる。勿論、シート本体の裏面１ｂ側から（紙面下方から）環状把持部に指を差し入れて把持部材５を掴むこともできる。
【００１６】
把持部材２をシーツ本体１に縫着する際は、把持部材２の端部はシーツ本体の表面１ａ側又は裏面１ｂ側に縫着されるが、好ましくはシーツ本体の裏面１ｂ側に縫着される。これにより、キャリングシートの上面は段差がなくなり、不測の事態の生じるのが防止できる。縫着は例えば３、４回又はこれ以上のかがり縫い３０であり、これは工業用ミシンで行なうことができる。
【００１７】
把持部材２１、２１’の間隔（ｎ３）は１８〜２５ｃｍであり、好ましくは２０ｃｍ程度である。後記のシート本体の側面に設けられる把持部材２４、２４’の間隔（ｎ４）等に比較して間隔（ｎ３）を大きくとってあるのには、被介護人が左右に揺れるのを極力防止するためである。なお、これらの把持部材２１、２１’はシーツ本体１の短辺側の中心から左右に等間隔で設けられるのが好ましい。
【００１８】
把持部材２２、２２’の間隔（ｎ４）、２３、２３’の間隔（ｎ４）、２４、２４’の間隔（ｎ４）、２５、２５’の間隔（ｎ４）は、１３〜１８ｃｍであり、好ましくは１５ｃｍ程度である。一対の把持部材２２、２２’は一対の把持部材２３、２３’と対称の位置に設けられており、また、一対の把持部材２４、２４’は一対の把持部材２５、２５’と対称の位置に設けられている。一方端に位置する把持部材２４’、２５’はシーツ本体１の短辺側端縁からｎ５＝８〜１２ｃｍ好ましくは１０ｃｍ程度離れたところに設けられる。また、把持部材２４’、２５’と最も離れている把持部材２２、２３は一方の短辺側端縁からｎ６＝１３〜１７ｃｍ好ましくは１５ｃｍ程度離れたところに設けられる。ｎ５＜ｎ６としたのは、被介護者をキャリングシートに載せたとき、頭部が足部より下がるのを未然に防ぐためである。
【００１９】
本発明のキャリングシーツ５０はこれに載せられている被介護者の移動、運搬等を３〜５人の介護者で扱うことを想定して作製されたものである。
本発明のキャリングシートの使用法は、例えば被介護者をベットからベットに移す際には、ベット上の被介護者を一方の側に向かせて空間をつくり、そこに途中から下方に折りかえしたキャリングシーツを置き、次いで、被介護者の元の位置に戻し、さらに反対側に向かせて、先に下方に折りかえしておいたキャリングシーツを元に戻して全体を平らにした後、被介護者を元の仰向きの位置に戻せば、被介護者はキャリングシーツの真中に載った状態となる。また、キャリングシーツに載った被介護者をベットに移すには、上記と反対の操作を行なえばよい。
【００２０】
【発明の効果】
本発明のキャリングシーツは、素材のすべてがキルティング布でこれを複数枚重ねて用いているため引っ張り強度が強く、また、特定構造の把持部材がシーツ本体に強固にとりつけられ該シーツ本体とともに環状把持部を形成しているので、介護する者のキャリングシーツの取扱いやすさは良好で、さらに体重の重い被介護者の運搬等においてもシート本体が破けたり、把持部材が本体から取れてしまうようなことがない。また、本発明のキャリングシーツは折り畳み収納が極めて容易である。
【図面の簡単な説明】
【図１】本発明のキャリングシーツの平面図。
【図２】シート本体と把持部材との縫着の様子を説明するための図。
【図３】シート本体と把持部材との縫着の様子を説明するための図。
【符号の説明】
１  シーツ本体
２  把持部材
２１、２１’、２２、２２’、２３、２３’、２４、２４’、２５、２５’把持部材
３０  かがり縫い
５０  キャリングシート
【図１】
2004344599.tif 000003
【図２】
2004344599.tif 000004
【図３】
2004344599.tif 000005